(57)【要約】【課題】  選別効率と選別精度を向上させることが可能な選別装置を提供すること。【解決手段】  振動する複数枚の上段傾斜スクリーン板を高所から低所に向かってその一部が重合するようにして配置してなる上段スクリーン機構と、上記上段スクリーン機構の下方に配置され振動する複数枚の下段傾斜スクリーン板を高所から低所に向かってその一部が重合するようにして配置してなる下段スクリーン機構と、を具備し、上下方向に対応する位置に配置された下段傾斜スクリーン板の傾斜角度α２°と上段傾斜スクリーン板の傾斜角度α１°を対比した場合傾斜角度α２°を傾斜角度α１°より大きく設定したもの。【選択図】  図１
2005334706.tif 000002
【特許請求の範囲】
【請求項１】
振動する複数枚の上段傾斜スクリーン板を高所から低所に向かってその一部が重合するようにして配置してなる上段スクリーン機構と、
上記上段スクリーン機構の下方に配置され振動する複数枚の下段傾斜スクリーン板を高所から低所に向かってその一部が重合するようにして配置してなる下段スクリーン機構と、を具備し、
上下方向に対応する位置に配置された下段傾斜スクリーン板の傾斜角度α２°と上段傾斜スクリーン板の傾斜角度α１°を
対比した場合傾斜角度α２°を傾斜角度α１°より大きく設定したことを特徴とする選別装置。
【請求項２】
請求項１記載の選別装置において、
上記上段スクリーン機構を構成する複数枚の上段傾斜スクリーン板の傾斜角度α１°は高所から低所に向かって徐々に小さく設定されており、同様に上記下段スクリーン機構を構成する複数枚の下段傾斜スクリーン板の傾斜角度α２°は高所から低所に向かって徐々に小さく設定されていることを特徴とする選別装置。
【請求項３】
請求項１又は請求項２記載の選別装置において、
下流側から上流側に空気流を供給する空気流供給手段を設け、該空気流供給手段によって供給される空気流によって選別効果を高めるようにしたことを特徴とする選別装置。
【請求項４】
請求項３記載の選別装置において、
上記上段傾斜スクリーン板及び又は上記下段傾斜スクリーン板において、下方側から上方側に向かう空気流を供給し、上記上段傾斜スクリーン板及び又は上記下段傾斜スクリーン板上における選別効果を高めるようにしたことを特徴とする選別装置。
【請求項５】
請求項３記載の選別装置において、
上記上段スクリーン機構と下段スクリーン機構の下方位置において下方側から上方側に向かう空気流を供給して選別効果を高めるようにしたことを特徴とする選別装置。
【請求項６】
請求項４記載の選別装置において、
上記上段傾斜スクリーン板及び又は上記下段傾斜スクリーン板は多孔板になっていて、それら孔から下方側から上方側に向かう空気流を供給するようにしたことを特徴とする選別装置。
【請求項７】
請求項６記載の選別装置において、
最下段に位置する上記上段傾斜スクリーン板及び又は上記下段傾斜スクリーン板を多孔板として、それら孔から下方側から上方側に向かう空気流を供給するようにしたことを特徴とする選別装置。
【発明の詳細な説明】
【技術分野】
【０００１】
本発明は、例えば、軽量プラスチック等の低比重物や重量金属片等の高比重物を含んだ産業廃棄物をその形状や比重等の違いによって選別する選別装置に係り、特に、選別効率と選別精度を高めることができるように工夫したものに関する。
【背景技術】
【０００２】
この種の選別装置の構成を開示するものとして、例えば、特許文献１、特許文献２等がある。
【０００３】
【特許文献１】特開昭５５−８１７６８号公報
【特許文献２】特開２００２−５９０８５号公報
【０００４】
上記特許文献１、特許文献２に開示されている選別装置は、概略次のような構成をなしている。すなわち、揺動運動する傾斜スクリーン板が所定の傾斜角度にて下り勾配にて高所から低所に向かって複数段にわたって設置されている。そして、高所側より選別対象の廃棄物を投入する。例えば、フィルム状の軽量プラスチック等の低比重物は反発係数が小さいので、傾斜スクリーン板にて反発することなく傾斜上方に投げ出されて傾斜上方側より排出される。これに対して、重量金属片等の高比重物は反発係数が大きいので、傾斜スクリーン板に対して傾斜下方に反発して傾斜下方側から排出される。このようなメカニズムによって廃棄物が選別されることになる。
【発明の開示】
【発明が解決しようとする課題】
【０００５】
上記従来の構成によると選別効率と選別精度が悪いという問題があった。具体的には、傾斜下方側で排出されるべき高比重物が傾斜上方側で排出されてしまったり、逆に
傾斜上方側で排出されるべき低比重物が傾斜下方側にて排出されてしまうものである。例えば、前者の問題に対しては、傾斜スクリーン板の傾斜角度を大きくすることにより対応することは可能であるが、それによって、後者の問題をより顕著なものとしてしまうことになる。
【０００６】
本発明はこのような点に基づいてなされたものでその目的とするところは、選別効率と選別精度を向上させることが可能な選別装置を提供することにある。
【課題を解決するための手段】
【０００７】
上記目的を達成するべく本願発明の請求項１による選別装置は、振動する複数枚の上段傾斜スクリーン板を高所から低所に向かってその一部が重合するようにして配置してなる上段スクリーン機構と、上記上段スクリーン機構の下方に配置され振動する複数枚の下段傾斜スクリーン板を高所から低所に向かってその一部が重合するようにして配置してなる下段スクリーン機構と、を具備し、  上下方向に対応する位置に配置された下段傾斜スクリーン板の傾斜角度α２°と上段傾斜スクリーン板の傾斜角度α１°を
対比した場合傾斜角度α２°を傾斜角度α１°より大きく設定したことを特徴とするものである。
又、請求項２による選別装置は、請求項１記載の選別装置において、上記上段スクリーン機構を構成する複数枚の上段傾斜スクリーン板の傾斜角度α１°は高所から低所に向かって徐々に小さく設定されており、同様に上記下段スクリーン機構を構成する複数枚の下段傾斜スクリーン板の傾斜角度α２°は高所から低所に向かって徐々に小さく設定されていることを特徴とするものである。
又、 請求項３による選別装置は、請求項１又は請求項２記載の選別装置において、下流側から上流側に空気流を供給する空気流供給手段を設け、該空気流供給手段によって供給される空気流によって選別効果を高めるようにしたことを特徴とするものである。
又、請求項４による選別装置は、請求項３記載の選別装置において、上記上段傾斜スクリーン板及び又は上記下段傾斜スクリーン板において、下方側から上方側に向かう空気流を供給し、上記上段傾斜スクリーン板及び又は上記下段傾斜スクリーン板上における選別効果を高めるようにしたことを特徴とするものである。
又、請求項５による選別装置は、請求項３記載の選別装置において、上記上段スクリーン機構と下段スクリーン機構の下方位置において下方側から上方側に向かう空気流を供給して選別効果を高めるようにしたことを特徴とするものである。
又、請求項６による選別装置は、請求項４記載の選別装置において、上記上段傾斜スクリーン板及び又は上記下段傾斜スクリーン板は多孔板になっていて、それら孔から下方側から上方側に向かう空気流を供給するようにしたことを特徴とするものである。
又、請求項７による選別装置は、請求項６記載の選別装置において、最下段に位置する上記上段傾斜スクリーン板及び又は上記下段傾斜スクリーン板を多孔板として、それら孔から下方側から上方側に向かう空気流を供給するようにしたことを特徴とするものである。
【０００８】
すなわち、上記目的を達成するべく本願発明の請求項１による選別装置は、振動する複数枚の上段傾斜スクリーン板を高所から低所に向かってその一部が重合するようにして配置してなる上段スクリーン機構と、上記上段スクリーン機構の下方に配置され振動する複数枚の下段傾斜スクリーン板を高所から低所に向かってその一部が重合するようにして配置してなる下段スクリーン機構と、を具備し、  上下方向に対応する位置に配置された下段傾斜スクリーン板の傾斜角度α２°と上段傾斜スクリーン板の傾斜角度α１°を
対比した場合傾斜角度α２°を傾斜角度α１°より大きく設定しているので、まず、高比重物は下段側スクリーン機構により確実に傾斜下方側に選別されることになり、又、低比重物は上段スクリーン機構にて確実に選別されることになる。よって、全体として、選別効率と選別精度を向上させることが可能になる。
又、上記上段スクリーン機構を構成する複数枚の上段傾斜スクリーン板の傾斜角度α１°を高所から低所に向かって徐々に小さく設定し、同様に上記下段スクリーン機構を構成する複数枚の下段傾斜スクリーン板の傾斜角度α２°を高所から低所に向かって徐々に小さく設定した場合には、それによって、選別精度をさらに向上させることができる。
又、下流側から上流側に空気流を供給する空気流供給手段を設け、該空気流供給手段によって供給される空気流によって選別効果を高めるようにした場合には、低比重物の傾斜上方側への選別がより確実なものとなり、それによって、  選別効率と選別精度をさらに向上させることが可能になる。
又、上記空気流供給手段の構成としては様々なものが考えられるが、例えば、上記上段傾斜スクリーン板及び又は上記下段傾斜スクリーン板において、下方側から上方側に向かう空気流を供給し、上記上段傾斜スクリーン板及び又は上記下段傾斜スクリーン板上における選別効果を高めるように構成することが考えられ、それによって、上記上段傾斜スクリーン板及び又は上記下段傾斜スクリーン板上において、低比重物の傾斜上方側への選別がより確実なものとなる。  
又、別の構成として、上記上段スクリーン機構と下段スクリーン機構の下方位置において下方側から上方側に向かう空気流を供給して選別効果を高めるように構成することが考えられる。
又、別の構成として、上記上段側傾斜スクリーン板及び又は上記下段側傾斜スクリーン板を多孔板として、それら孔から下方側から上方側に向かう空気流を供給するように構成することが考えられる。
又、その際、最下段に位置する上記上段側傾斜スクリーン板及び又は上記下段側傾斜スクリーン板を多孔板として、それら孔から下方側から上方側に向かう空気流を供給するように構成することが考えられる。
【発明を実施するための最良の形態】
【０００９】
以下、図1を参照して本発明の第１の実施の形態を説明する。図１は本実施の形態による選別装置の全体の構成を示す側断面図であり、まず、ケーシング１がある。このケーシング１は図１中右側の高所から図１中左側の低所に向かって延長・設置されている。又、上記ケーシング１の上にはフード６が取り付けられている。
【００１０】
上記ケーシング１の高所側には廃棄物投入手段３が設置されている。この廃棄物投入手段３を介して選別対象の廃棄物を上記ケーシング１内に投入するものである。すなわち、上記ケーシング１の図１中右上には廃棄物投入口２が形成されていると共に、該廃棄物投入口２の図１中左側には廃棄物受入板４が設けられている。上記廃棄物投入手段３より投入された廃棄物はこれら廃棄物投入口２、廃棄物受入板４を介してケーシング１内に投入されることになる。
尚、廃棄物としてきは様々な場合があるが、例えば、廃プラと称されるフィルム材の中から石や金属等の硬質異物を選別・除去する場合、木屑チップの中から釘、石等の硬質異物を除去する場合、コンポストの中から釘等の金属や小石等の硬質異物を選別・除去する場合が想定される。    
【００１１】
上記ケーシング１内には、上段スクリーン機構５と下段スクリーン機構７が上下二段の状態で設置されている。上記上端スクリーン機構５は、複数枚（この実施の形態の場合には４枚）の上段傾斜スクリーン板９から構成されている。この上段傾斜スクリーン板９は所定の傾斜角度α１°の下り勾配で設置されている。この実施の形態の場合には、各上段傾斜スクリーン板９の傾斜角度α１°が５°〜１４°の範囲で設定されている。又、上記４枚の上段スクリーン板９は、図１中左側に向かって順次低所に設置されている。そして、最も高所に配置される上段スクリーン板９の傾斜角度α１°が最も大きく、そこから低所に向かって徐々に小さくなり、最も低所に配置されている上段スクリーン板９の傾斜角度α１°が最も小さくなっている。又、隣接する一方の上段スクリーン板９の先端部と他方の上段スクリーン板９の基端部とが重合するような状態で設置されている。
【００１２】
一方、上記下段スクリーン機構７は、複数枚（この実施の形態の場合には４枚）の下段傾斜スクリーン板１１から構成されている。この下段傾斜スクリーン板１１は所定の傾斜角度α２°の下り勾配で設置されている。この実施の形態の場合にはα２°が７°〜１８°の範囲で設定されていると共に、上記α１°よりも大きな値で設定されている。又、上記４枚の下段スクリーン板１１は、図１中左側に向かって順次低所に設置されている。そして、最も高所に配置される下段スクリーン板１１の傾斜角度α２°が最も大きく、そこから低所に向かって徐々に小さくなり、最も低所に配置されている下段スクリーン板１１の傾斜角度α２°が最も小さくなっている。又、隣接する一方の下段スクリーン板１１の先端部と他方の下段スクリーン板１１の基端部とが重合するような状態で設置されている。
【００１３】
上記上段スクリーン機構５の上段傾斜スクリーン板９と下段スクリーン機構７の下段傾斜スクリーン板１１は、振動装置１３によって振動されることになる。すなわち、上記振動装置１３は傾斜角度が４５°に設定されていて、２個の回転体１４、１６の作用によって、図１中矢印ａで示す方向に振動を付与する。それによって、ケーシング１及び該ケーシング１内に取り付けられた上記上段スクリーン機構５、下段スクリーン機構７が振動（直進往復運動）することになる。又、上記振動装置１３による振動の振幅は約５〜７ｍｍの範囲で設定されると共に、振動数は約１０００〜１２００ｒｐｍの範囲で設定されるものである。
【００１４】
又、振動装置１３が４５°の方向に振動するのに対して、上記上段スクリーン機構５の各上段傾斜スクリーン板９と下段スクリーン機構７の下段傾斜スクリーン板１１は、４５゜よりは小さな傾斜角度になっている。それによって、低比重物は傾斜上方側に選別・移動せられ、逆に、高比重物は傾斜下方側に選別・移動せられることになる。
【００１５】
上記ケーシング１の下方には低比重物排出ホッパ１５と高比重物排出ホッパ１７とが夫々取り付けられている。上記上段スクリーン機構５と下段スクリーン機構７とによって選別された内、低比重物は低比重物排出ホッパ１５側より排出され、高比重物は高比重物排出ホッパ１７側より排出されることになる。
【００１６】
以上の構成を基にその作用を説明する。
まず、廃棄物投入手段３、廃棄物投入口２、廃棄物受入板４を介して選別対象の廃棄物をケーシング１内に投入する。ケーシング１内に投入された廃棄物は、まず、上段スクリーン機構５の最初の上段傾斜スクリーン板９上に落下する。上段傾斜スクリーン板９は振動しており、それによって、軽量プラスチック等の低比重物は、図１中右側に移動・落下していく。これに対して、重量金属片等の高比重物は、図１中左側に移動・落下していく。その際、上段傾斜スクリーン板９の傾斜角度α１°は高所から低所に向かって徐々に小さくなるように設定されているので、最初の段階では、高比重物の下方への選別が優先させるために低比重物が下方に混じって選別されることになるが、低所に向かって低比重物の選別が優先されるようになるので、下方に混じって選別された低比重物は確実に上方側に選別されることになる。
【００１７】
以下、同様の作用が上段スクリーン機構５の４枚の上段傾斜スクリーン板９によって順次行われることになり、それによって、軽量プラスチック等の低比重物は下段スクリーン機構７側に落下していき、金属片等の高比重物は、図１中左側に移動・落下していく。
【００１８】
そして、下段スクリーン機構７側においても、４枚の下段傾斜スクリーン板１１によって上記と同様の作用が行われることになる。そして、この場合も、下段傾斜スクリーン板１１の傾斜角度α２°は高所から低所に向かって徐々に小さくなるように設定されているので、最初の段階では、高比重物の下方への選別が優先させるために低比重物が下方に混じって選別されることになるが、低所に向かって低比重物の選別が優先されるようになるので、下方に混じって選別された低比重物は確実に上方側に選別されることになる。
そして、最終的に、軽量プラスチック等の低比重物は低比重物排出ホッパ１５内に落下しそこから排出されることになる。又、重量金属片等の高比重物は高比重物排出ホッパ１７内に落下しそこから排出されることになる。
【００１９】
又、上下方向に対応する位置に配置された下段スクリーン機構７の下段傾斜スクリーン板１１と上段傾斜スクリーン板９の傾斜角度α２°、α１°を対比すると、下段傾斜スクリーン板１１の傾斜角度α２°が上段スクリーン機構５の上段傾斜スクリーン板９の傾斜角度α１°より大きく設定されているので、高比重物の傾斜下方側への選別がより確実なものとなる。つまり、上段スクリーン機構５側で傾斜下方側に選別されずに下段スクリーン機構７側に落下した高比重物も下段スクリーン機構７側にて確実に選別されることになる。
【００２０】
これに対して、上段スクリーン機構５側では上段傾斜スクリーン板９の傾斜角度α１°が特に大きく設定されているわけではないので、低比重物の選別効果が損なわれることはない。
【００２１】
以上本実施の形態によると次のような効果を奏することができる。
まず、選別効率と選別精度を向上させることができる。すなわち、従来問題になっていたのは、本来、高比重物排出ホッパ１７側に排出されるべき高比重物が精度良く選別されずに低比重物排出ホッパ１５側に排出されてしまうことであるが、これについては、下段スクリーン機構７の下段傾斜スクリーン板１１の傾斜角度α２°を上段傾斜スクリーン板９の傾斜角度α１°より大きく設定し、高比重物をより確実に高比重物ホッパ１７側に選別されるように構成しているので、大幅に改善されることになり、高比重物を高比重物排出ホッパ１７側に確実に選別することができるようになったものである。
又、その際、上段スクリーン機構５の上段傾斜スクリーン板９の傾斜角度α１°は特に大きく設定しているわけではないので、逆に、低比重物が高比重物排出ホッパ１７側に不用意に排出されることについてもこれを防止することができる。
その結果、全体として選別効率と選別精度を向上させることができるようになったものである。
又、上段傾斜スクリーン板９と下段傾斜スクリーン板１１の傾斜角度は個々に調整可能であるので、選別結果を考察しながら最適な傾斜角度α１°、α２°を設定することができるものである。
【００２２】
次に、図２を参照して本発明の第２の実施の形態を説明する。この第２の実施の形態の場合には、前記第１の実施の形態における構成において、さらに、空気流供給手段２１を設けたものである。まず、上記ケーシング１の図２中左側には空気流供給配管２３が接続されていて、この空気流供給配管２３には、二股状の空気流供給ノズル２５が接続されている。上記空気流供給ノズル２５は上段ノズル２７と下段ノズル２９を備えていて、上段ノズル２７は上段スクリーン機構５の最下段位置の上段傾斜スクリーン板９の図２中左端に対向するように配置されている。同様に、下段ノズル２９は下段スクリーン機構７の最下段位置の下段傾斜スクリーン板１１の図２中左端に対向するように配置されている。
【００２３】
上記空気流供給配管２３には集塵機３１、ブロア３３が接続されている。又、ケーシング１の図２中右側には排気配管３５が接続されていて、この排気配管３５は上記集塵機３１に接続されている。
尚、その他の構成は前記第１の実施の形態の場合と同様であり、同一部分には同一符号を付して示しその説明は省略する。
【００２４】
上記構成によると、選別効率と選別精度をさらに高めることができる。すなわち、空気流供給手段２１によって、最下段に位置する上段傾斜スクリーン板９、下段傾斜スクリーン板１１上において空気流を供給し、軽量プラスチック等の低比重物を上方側に選別・移動させて、低比重物排出ホッパ１５側に排出させるようにしているので、軽量プラスチック等の低比重物が高比重物排出ホッパ１７側に混入して排出されることをより効果的に防止することができる。それによって、選別効率と選別精度をさらに高めることができるものである。
【００２５】
次に、図３乃至図５を参照して本発明の第３の実施の形態について説明する。この第３の実施の形態の場合には、前記第２の実施の形態における空気流供給手段２１とは異なる構成の空気流供給手段４１を設けたものである。まず、上段スクリーン機構５の上段傾斜スクリーン板９が図４、図５に示すような構成になっている。すなわち、ハウジング４３が設けられていて、このハウジング４３の上板４５には複数個の空気噴出口４７が形成されている。上記空気噴出口４７は図３中左側から右側に向けて傾斜した状態で形成されている。
【００２６】
上記ハウジング４３内には空気噴出配管４９が内装されている。この空気噴出配管４９にも複数個の空気噴出口５１が形成されている。上段スクリーン機構５を構成する４個の上段傾斜スクリーン板９は全て同様の構成になっている。又、下段スクリーン機構７を構成する４枚の下段傾斜スクリーン板１１についても同様の構成になっている。
【００２７】
上記各空気噴出配管４９には空気流供給チューブ５３が接続されていて、これら空気流供給チューブ５３は空気流供給配管５５に接続されている。この空気流供給配管５５はブロア５７に接続されていて、このブロア５７には集塵機５９が接続されている。又、ケーシング１に接続された排気配管６１は上記集塵機５９に接続されている。
その他の構成は前記第１の実施の形態の場合と同様であり、同一部分には同一符号を付して示しその説明は省略する。
【００２８】
上記構成によると、上段スクリーン機構５の各上段傾斜スクリーン板９、下段スクリーン機構７の各下段傾斜スクリーン板１１において、下方から上方に向かうと共に傾斜方向下流側から上流側に向かう空気流が噴出され、それによって、軽量プラスチック等の低比重物の選別がより確実なものとなる。
【００２９】
次に、図６を参照して本発明の第４の実施の形態を説明する。この第４の実施の形態は、前記第３の実施の形態において、最下段に位置する上段傾斜スクリーン板９と下段傾斜スクリーン板１１のみから空気流を噴出させるようにしたものである。
その他の構成は前記第３の実施の形態の場合と同様であり、同一部分には同一符号を付して示しその説明は省略する。
よって、前記第３の実施の形態の場合と略同様の効果を奏することができる。  
【００３０】
次に、図７を参照して本発明の第５の実施の形態を説明する。この場合は、さらに別の構成をなす空気流供給手段７１を設けたものである。この場合には、高比重物排出ホッパ１７に空気流供給配管７３を接続し、その先端に空気流噴出ノズル７５を接続したものである。又、上記空気流供給配管７３にはブロア７７が接続されていて、該ブロア７７には集塵機７９が接続されている。又、ケーシング１には排気配管８１が接続されていて、該排気配管８１は集塵機７９に接続されている。
その他の構成は前記第１の実施の形態の場合と同様であり、同一部分には同一符号を付して示しその説明は省略する。
【００３１】
そして、上記空気流噴出ノズル７５を介して最下段に位置する上段傾斜スクリーン板９と下段傾斜スクリーン板１１より落下する選別物に空気流を吹き付ける。それによって、軽量プラスチック等の低比重物を低比重物排出ホッパ１５側に排出させるものである。
よって、低比重物の選別精度を高めることが可能になる等、前記各実施の形態の場合と略同様の効果を奏することができるものである。
【００３２】
尚、本発明は前記第１〜第５の実施の形態に限定されるものではない。
まず、傾斜スクリーン板の枚数等については任意に設定すればよい。
空気流供給手段の構成に関しては図示したもの以外にも様々な構成が考えられる。
例えば、前記実施の形態では、最も高所に配置される上段スクリーン板９の傾斜角度α１°が最も大きく、そこから低所に向かって徐々に小さくなり、最も低所に配置されている上段スクリーン板９の傾斜角度α１°が最も小さくなるように設定したが、それに限定されるものではなく、全て同じ傾斜角度α１°とすることも考えられる。下段スクリーン板１１の傾斜  角度α２°についても同様である。
【産業上の利用可能性】
【００３３】
本発明は、例えば、産業廃棄物をその形状や比重等の違いによって選別する選別装置に係り、特に、選別効率と選別精度を高めることができるように工夫したものに関し、特に、軽量プラスチック等の低比重物や重量金属片等の高比重物を含んだ産業廃棄物を選別するための選別装置に好適である。
【図面の簡単な説明】
【００３４】
【図１】本発明の第１の実施の形態を示す図で、選別装置の全体構成を示す断面図である。
【図２】本発明の第２の実施の形態を示す図で、選別装置の全体構成を示す断面図である。
【図３】本発明の第３の実施の形態を示す図で、選別装置の全体構成を示す断面図である。
【図４】本発明の第３の実施の形態を示す図で、傾斜スクリーン板の構成を示す正断面図である。
【図５】本発明の第３の実施の形態を示す図で、傾斜スクリーン板の構成を示す側断面図である。
【図６】本発明の第４の実施の形態を示す図で、選別装置の全体構成を示す断面図である。
【図７】本発明の第５の実施の形態を示す図で、選別装置の全体構成を示す断面図である。
【符号の説明】
【００３５】
５  上段スクリーン機構
７  下段スクリーン機構
９  上段側傾斜スクリーン板
１１  下段側傾斜スクリーン板
１３  振動装置
１５  低比重物排出ホッパ
１７  高比重物排出ホッパ
２１  空気流供給手段
２３  空気流供給配管
２５  空気流噴出ノズル
３１  集塵機
３３  ブロア
３５  排気配管    
【図１】
2005334706.tif 000003
【図２】
2005334706.tif 000004
【図３】
2005334706.tif 000005
【図４】
2005334706.tif 000006
【図５】
2005334706.tif 000007
【図６】
2005334706.tif 000008
【図７】
2005334706.tif 000009